(57)【要約】【課題】停車中に視聴した映像放送に関連する音声放送を、車両の走行開始時に選択して番組内容を適切に継続して視聴できること。【解決手段】受信装置１は、映像放送と、音声放送とを受信し、選局する選局部１１と、車両の走行状態と停車状態を検出する車両状態検出部６と、車両状態検出部６の検出結果に応じて、選局部１１による放送の選局を制御する制御部５とを備える。【選択図】        図１
2005341234.tif 000002
【特許請求の範囲】
【請求項１】
映像放送と、音声放送とを受信し、選局する選局手段と、
車両の状態を検出する車両状態検出手段と、
前記車両状態検出手段の検出結果に応じて、前記選局手段による前記放送の選局を制御する制御手段と、
を備えたことを特徴とする受信装置。
【請求項２】
前記映像放送の番組に関連する前記音声放送の番組の関連情報を取得する番組情報取得手段と、
前記番組情報取得手段により取得した前記映像放送の番組と前記音声放送の番組との関連情報を記憶する番組情報記憶手段と、
をさらに備え、
前記制御手段は、
前記車両状態検出手段により前記車両の状態が停車状態であることを検出されている間は、前記選局手段による前記映像放送の番組の選局を許可し、
前記車両状態検出手段により前記車両の状態が停車状態から走行状態に変化したことを検出された場合に、前記番組情報記憶手段に記憶されている前記関連情報に基づいて、前記映像放送の番組に関連する前記音声放送の番組の選局に切り替えることを特徴とする請求項１に記載の受信装置。
【請求項３】
前記制御手段は、
前記映像放送の番組から前記音声放送の番組への選局を切り替えたときに、切り替え前の選局情報を前記番組情報記憶手段に記憶させ、
前記選局を切り替えた後において、
前記車両状態検出手段により前記車両の状態が走行状態であることを検出されている間は、前記映像放送の番組に関連する前記音声放送の番組の選局を継続し、
前記車両状態検出手段により前記車両の状態が走行状態から停車状態に変化したことを検出された場合に前記番組情報記憶手段から前記切り替え前の選局情報を読み出して当該切り替え前の選局情報が示す放送番組の選局に切り替えることを特徴とする請求項２に記載の受信装置。
【請求項４】
前記制御手段は、前記車両状態検出手段により前記車両の状態が停車状態から走行状態に変化したことを検出された場合において、前記番組情報記憶手段に前記関連情報が記憶されていないときには、前記映像放送の表示を中断し、当該映像放送の音声のみを出力することを特徴とする請求項２に記載の受信装置。
【請求項５】
映像放送と、音声放送とを受信し、選局する選局工程と、
車両の状態を検出する車両状態検出工程と、
前記車両状態検出工程の検出結果に応じて、前記選局工程による前記放送の選局を制御する制御工程と、
を含むことを特徴とする受信方法。
【請求項６】
請求項５に記載の受信方法をコンピュータに実行させることを特徴とする受信プログラム。
【請求項７】
請求項６に記載の受信プログラムを記録したことを特徴とするコンピュータに読み取り可能な記録媒体。
【発明の詳細な説明】
【技術分野】
【０００１】
この発明は、受信装置、受信方法、受信プログラムおよび記録媒体に関する。
【背景技術】
【０００２】
従来、車両に搭載されてテレビジョン（ＴＶ）放送が受信可能な受信装置がある。このような車両に搭載される受信装置は、車両の走行時に運転者がＴＶ放送の映像を注視することは運転上危険である。このため、車両の走行時においては映像表示を制限している。
【０００３】
このような受信機器は、車両の停車中にＴＶを視聴していた後に、車両が走行開始したとき、ＴＶの表示画面を消してＴＶの音声だけを継続して再生するようになっている（例えば、下記特許文献１参照。）。このとき、表示画面はブルーバック画面等に切り替えられる。また、ＴＶ放送を受信可能な機能を有するナビゲーション装置の場合には、ＴＶの表示画面から車両の走行案内（ナビゲーション）画面等に切り替えるようになっている。
【０００４】
【特許文献１】特開２００３−２４４５９１号公報
【発明の開示】
【発明が解決しようとする課題】
【０００５】
しかしながら、ＴＶ放送は、映像が主体として制作され、音声は映像の補助的役割であるため、映像が消された後のＴＶ音声だけではユーザ（運転者等）が必要としている情報を適切に得ることができないという問題が一例として挙げられる。
【課題を解決するための手段】
【０００６】
上述した課題を解決し、目的を達成するため、請求項１の発明にかかる受信装置は、映像放送と、音声放送とを受信し、選局する選局手段と、車両の状態を検出する車両状態検出手段と、前記車両状態検出手段の検出結果に応じて、前記選局手段による前記放送の選局を制御する制御手段と、を備えたことを特徴とする。
【０００７】
また、請求項５の発明にかかる受信方法は、映像放送と、音声放送とを受信し、選局する選局工程と、車両の状態を検出する車両状態検出工程と、前記車両状態検出工程の検出結果に応じて、前記選局工程による前記放送の選局を制御する制御工程と、を含むことを特徴とする。
【０００８】
また、請求項６の発明にかかる受信プログラムは、請求項５に記載の受信方法をコンピュータに実行させることを特徴とする。
【０００９】
また、請求項７の発明にかかるコンピュータに読み取り可能な記録媒体は、請求項６に記載の受信プログラムを記録したことを特徴とする。
【発明を実施するための最良の形態】
【００１０】
以下に添付図面を参照して、この発明にかかる受信装置、受信方法、受信プログラムおよび記録媒体の好適な実施の形態を詳細に説明する。以下に説明する実施の形態では、デジタル放送によるＴＶとラジオの受信を切り替え可能な受信装置を例に説明する。ラジオ放送は、元々音声のみで全ての情報を伝達する手段である。この発明は、車両が走行を開始したときには、ＴＶの放送内容と同じ内容を放送しているラジオへ自動的に受信を切り替えることにより、車両の走行状態が変化しても、ユーザ（運転者）に対して適切な情報を継続的に伝達させようとするものである。以下の説明の受信装置は、車両に搭載され、ＴＶおよびラジオが受信可能な受信装置を例に説明する。
【００１１】
（実施の形態）
図１は、この発明の受信装置の構成を示すブロック図である。受信装置１は、アンテナ２から放送波を受信してＴＶ番組およびラジオ番組の選局および復調を行うチャンネルデコーダ部３と、チャンネルデコーダ部３の出力を受けてユーザが選択した映像、音声、データ等を分離出力するソースデコーダ部４と、これらチャンネルデコーダ部３と、ソースデコーダ部４を制御する制御部５とを有して構成されている。この受信装置１には、車両状態検出部６と、映像表示部７と、音声出力部８が接続されている。
【００１２】
チャンネルデコーダ部３は、選局部１１と、復調部１２とを有している。選局部１１は、アンテナ２が受信したＴＶ、ラジオ、データのチャンネル（Ｃｈ）を切り替える。復調部１２は、選局部１１によって選局されたＴＶ、ラジオ、データのＣｈの復調を行う。
【００１３】
ソースデコーダ部４は、チャンネルデコーダ部３の復調部１２から出力された復調後のＴＶ、ラジオ、データの出力信号をそれぞれ分離する分離部２１と、分離部２１によって分離された映像信号を表示可能に復調する映像復調部２２と、分離部２１によって分離された音声信号を音声出力可能に復調する音声復調部２３とを有する。
【００１４】
また、分離部２１は、デジタル放送の放送波に含まれるＴＶ番組およびラジオ番組の番組配列情報（ＳＩ）を分離する。番組情報取得部２４は、番組配列情報における各テーブル内で任意に記述されているリンク記述子の有無を確認する。そして、テーブル内に、ＴＶ番組に関連するラジオ番組へのリンク情報が検出されれば、このリンク情報を取得してメモリ等の番組情報記憶部２５に記憶させる。上述したリンク記述子とは、記述されたテーブルに関連した追加情報を提供するサービスを識別するために設けられている。
【００１５】
制御部５は、ＣＰＵ等のマイコンにより構成され、不図示の記憶部に格納された制御プログラムの実行に基づいて、後述する車両の状態に応じた番組の切り替え制御を行う。この制御部５には、車両状態検出部６が検出した車両の状態を示す検出信号が入力される。以下の説明では、車両状態検出部６は、車両の速度（車速）を検出信号として出力するものとする。制御部５は、車両状態検出部６から出力される車速に基づいて車両の状態が走行状態であるか、あるいは停車状態であるかを判断し、これら車両の状態が走行状態の時と、車両の状態が停車状態の時においてそれぞれ適した番組を受信するようチャンネルデコーダ部３の選局部１１における選局を制御する。この車両の状態が変化したときに、番組情報記憶部２５に記憶されている番組情報を参照し、車両の状態が変化したときに適切な番組が選局されるように制御する。
【００１６】
映像表示部７は、ソースデコーダ部４の映像復調部２２から出力された映像を表示出力する。この映像表示部７は、ＬＣＤ等の映像表示可能な表示装置からなる。音声出力部８は、ソースデコーダ部４の音声復調部２３から出力された音声を音声出力する。この音声出力部８は、音声出力可能なスピーカ等が用いられる。
【００１７】
次に、上記構成の受信装置の動作を詳細に説明する。図２は、ＴＶ放送の受信動作を示すフローチャートである。車両の状態が停車状態の時におけるＴＶ放送の受信状態が示されている。以下の処理は制御部５が統括して実行する。
【００１８】
車両の状態が停車状態の時は、ユーザ（運転者）が所望し選択したＣｈのＴＶ放送局を受信することができる（ステップＳ１）。制御部５は、車両の状態が停車状態の時のみＴＶ放送の映像を映像表示部７から表示させることを許可する。このとき、番組情報取得部２４は、受信した番組配列情報（ＳＩ）に基づいて選択中のＴＶ番組の番組情報を取得する（ステップＳ２）。次に、視聴しているＴＶ番組においてこの番組配列情報（ＳＩ）の中にリンク記述子が有るかを判断する（ステップＳ３）。リンク記述子は、テーブル形式等で記述されたものであり、放送中のＴＶ番組に関連している関連情報であり、他の番組、例えば同内容のラジオ放送が有れば、このラジオ放送の番組に関するリンク情報として提供されるようになっている。
【００１９】
番組情報取得部２４が放送中のＴＶ番組に関連するリンク記述子が有るときには（ステップＳ３：Ｙｅｓ）、次に、このリンク記述子にラジオ番組へのリンクが有るかを判断する（ステップＳ４）。リンク記述子にラジオ番組へのリンクが有るときには（ステップＳ４：Ｙｅｓ）、このラジオ番組の番組情報を番組情報記憶部２５に記憶し（ステップＳ５）、放送中のＴＶ番組を継続受信する（ステップＳ６）。
【００２０】
番組情報記憶部２５に記憶する情報は、リンク記述子をそのまま記憶する構成としたり、リンク記述子が示している放送中のＴＶ番組に関連する同内容のラジオ番組（放送Ｃｈや周波数）を記憶する構成にできる。
【００２１】
なお、放送中のＴＶ番組に関連するリンク記述子が無いとき（ステップＳ３：Ｎｏ）、リンク記述子にラジオ番組が無いときには（ステップＳ４：Ｎｏ）、それぞれステップＳ５における番組情報の記憶を行わずに、ステップＳ６におけるＴＶ番組の受信を継続する。
【００２２】
図３は、車両の走行開始時における放送番組の切り替え動作を示すフローチャートである。車両の状態が停車状態の時にＴＶ番組を受信していた後に車両の状態が停車状態から走行状態に変化した際にラジオ番組に切り替える処理が示されている。
【００２３】
ＴＶ番組を受信している状態（ステップＳ１１）においては、制御部５は、車両状態検出部６による検出信号を取り込み、車両の状態を判断する（ステップＳ１２）。車両の状態が停車状態であれば（ステップＳ１２：Ｎｏ）、ステップＳ１１に戻ってＴＶ番組の受信を継続する。一方、車両状態検出部６により車両の状態が停車状態から走行状態に変化したことを検出すると（ステップＳ１２：Ｙｅｓ）、番組情報記憶部２５に有効な番組情報が有るかを判断する（ステップＳ１３）。
【００２４】
このとき、制御部５は、番組情報記憶部２５に記憶されている関連情報であるリンク記述子を参照する。具体的に、このリンク記述子としては、トランスポート・ストリーム識別子（Ｔｒａｎｓｐｏｒｔ  Ｓｔｒｅａｍ  ｉｄ）、オリジナルネットワーク識別子（Ｏｒｉｇｉｎａｌ  Ｎｅｔｗｏｒｋ  ｉｄ）、サービス識別子（Ｓｅｒｖｉｃｅ  ｉｄ）等のいずれかに、選局中のＴＶ番組に関連するラジオ番組の記述が有るかを判断する。リンク記述子に有効な関連情報が無ければ（ステップＳ１３：Ｎｏ）、ＴＶ番組の表示を中断し（ステップＳ１４）、終了する。ステップＳ１４の処理では、映像表示部７に表示されている表示画面は消されるか、あるいはブルーバックの画面のような予め設定された画面にする。この際、音声出力部８を介してＴＶ番組の音声だけを出力させてもよい。
【００２５】
一方、リンク記述子に有効な関連情報が有れば（ステップＳ１３：Ｙｅｓ）、ラジオ番組を特定するいずれかの識別子（ｉｄ）を読み出し（ステップＳ１５）、該当するラジオ番組を選局し（ステップＳ１６）、処理を終了する。この際、選局部１１は、ＴＶ番組の選局から、このＴＶ番組に関連した同内容のラジオ番組の選局に切り替えられる。これにより、映像表示部７に表示されている表示画面は消されるか、あるいはブルーバックの画面のような予め設定された画面にする。そして、音声出力部８からは、選局されたラジオ番組が音声出力される。
【００２６】
図４は、車両の停車開始時における放送番組の切り替え動作を示すフローチャートである。車両の状態が走行状態の時に受信していたラジオ番組を、車両の状態が走行状態から停車状態に変更した際にＴＶ番組に切り替える処理が示されている。
【００２７】
ラジオ番組を受信している状態（ステップＳ２１）において、制御部５は、車両状態検出部６による検出信号を取り込み、車両の状態を判断する（ステップＳ２２）。車両の状態が走行状態であれば（ステップＳ２２：Ｎｏ）、ステップＳ２１に戻ってラジオ番組の受信を継続する。一方、車両状態検出部６により車両の状態が走行状態から停車状態に変化したことを検出すると（ステップＳ２２：Ｙｅｓ）、制御部５は、切り替え前の選局情報を選択し、この切り替え前の選局情報の番組に切り替える（ステップＳ２３）。
【００２８】
この切り替え前の選局情報とは、現在の番組を視聴する一つ前の番組を選択することを指している。すなわち、上記例では、ラジオ番組に切り替わる一つ前に選局されていたＴＶ番組に関する情報である。このＴＶ番組に関する情報、例えば、受信Ｃｈ等は、図３に示すステップＳ１６においてＴＶ番組からラジオ番組に選局が切り替えられた際に、それまで選局していたＴＶ番組の情報が番組情報記憶部２５等のメモリに記憶される。そして、ステップＳ２３の実行により、番組情報記憶部２５等から切り替え前の選局情報であるＴＶ番組の情報を読み出す。これにより、車両の状態が走行状態から停車状態に変化すると、前回の停車中に視聴していたＴＶ番組の映像が映像表示部７に表示され、音声出力部８からそのＴＶ番組の音声が音声出力され、処理を終了する。このＴＶ番組は、ラジオ番組に関連した同内容の番組であり、ＴＶ番組→ラジオ番組への切り替え時と同様に、ラジオ番組→ＴＶ番組への切り替えでも同内容の番組を視聴し続けることができる。
【００２９】
以降の処理は、車両の走行開始毎に図３の処理が実行されて、車両の走行開始毎にＴＶ番組→ラジオ番組へ選局が切り替わり、車両の停車開始毎に、図４の処理が実行されて、車両の停車開始毎にラジオ番組→ＴＶ番組へ選局が切り替わることを繰り返す。これに限らず、図４の処理以降は、図３および図４の処理（特に選局処理）を行わず、車両が走行、停車する毎に切り替え前の選局情報を用いて、ＴＶ番組とラジオ番組とを切り替える構成にすることもできる。
【００３０】
上述した切り替え前の選局情報を用いる変形例としては、ユーザの設定により、ＴＶ番組とこのＴＶ番組に関連するラジオ番組の関連情報を予め番組情報記憶部２５に設定、記憶させておくこともできる。この場合、デジタル放送に限らず、アナログ放送にも適用することができる。車両の停車中にアナログの映像放送を受信しており、車両が走行開始したときには、予め設定しておいたアナログの音声放送（ラジオ放送）の関連情報を読み出し、このラジオ放送を選局するように切り替えることもできる。
【００３１】
以上説明した実施の形態によれば、車両の状態が停車状態の時にＴＶ番組を視聴しており、その後に車両が走行開始したときには、選局していたＴＶ番組に関連するラジオ番組が自動的に選局されるようになる。このように、車両の状態に合わせてＴＶ番組から、このＴＶ番組に関連するラジオ番組への選局を行うことができる。これにより、ユーザ（運転者）の車両運転に支障なく、しかも、ユーザに対して車両の状態が変化しても変化の前後で関連する番組内容を提供することができる。特に、車両の走行開始時には、ＴＶ番組に関連するラジオ番組に切り替えられるため、ユーザは、ラジオ番組の音声により、ＴＶの音声だけの内容に比して番組内容を詳細に知ることができるようになる。この後、車両が停車すれば、ユーザは再びラジオ番組と同内容のＴＶ番組を視聴でき、車両の走行開始時および停車開始時毎に同内容のＴＶ番組とラジオ番組とを交互に切り替えて視聴できるようになる。このような番組の切り替えは、ユーザがスイッチ等を操作せずとも、装置が自動的に行うものであるため、運転の安全性に支障を与えず、運転の安全性を維持できる。
【００３２】
上記実施の形態において説明した車両状態検出部６は、車両の状態を示す検出信号を出力し、制御部５は、車両状態検出部６の出力信号に基づいて車両の状態を判断し、ＴＶ放送とラジオ放送の番組の選局を切り替える。上記の説明では、車両状態検出部６は車速を検出信号として出力し、制御部５は当該出力信号に基づいて車両の状態を判断する構成としたが、これに限らず、車両状態検出部６はパーキングブレーキのオン状態（ブレーキを掛ける）／オフ状態（ブレーキを解除する）を検出信号として出力し、制御部５は当該出力信号に基づいて車両の状態を判断するようにしてもよい。この場合は、制御部５は、パーキングブレーキがオン状態の時を停車状態と判断し、パーキングブレーキがオフ状態の時を走行状態として判断する。この他に、車両状態検出部６はＧＰＳ受信機の受信信号を検出信号として出力し、制御部５は当該出力信号から車両の位置情報を取得して車両の状態を判断するようにしてもよい。
【００３３】
また、上記実施の形態では、地上デジタル放送を受信する受信装置を例に説明したが、他に、ＴＶおよびラジオを受信する機能を備えたナビゲーション装置等の車載機器に適用することもできる。
【００３４】
なお、本実施の形態で説明した受信方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【図面の簡単な説明】
【００３５】
【図１】この発明の受信装置の構成を示すブロック図である。
【図２】ＴＶ放送の受信動作を示すフローチャートである。
【図３】車両の走行開始時における放送番組の切り替え動作を示すフローチャートである。
【図４】車両の停車開始時における放送番組の切り替え動作を示すフローチャートである。
【符号の説明】
【００３６】
１  受信装置
２  アンテナ
３  チャンネルデコーダ部
４  ソースデコーダ部
５  制御部
６  車両状態検出部
７  映像表示部
８  音声出力部
１１  選局部
１２  復調部
２１  分離部
２２  映像復調部
２３  音声復調部
２４  番組情報取得部
２５  番組情報記憶部
【図１】
2005341234.tif 000003
【図２】
2005341234.tif 000004
【図３】
2005341234.tif 000005
【図４】
2005341234.tif 000006